(57)【特許請求の範囲】
【請求項１】
ベッド上に載置される被印刷物を空気吸入によって固定して印刷されるようにする産業用インクジェットプリンタ用ベッドにおいて、
全面にかけて空気吸入口が複数形成されている上部プレートと；
中間が上・下に開放された案内空間からなり、前記上部プレートの下側に組み立てられる中間プレートと；
前記中間プレートの下側に組み立てられ、一つ以上の空気通路が形成されている下部プレートと；
前記下部プレートの各空気通路に組み立てられ、吸入ポンプと連結される接続口と；
前記吸入ポンプによる前記ベッド内部の空気圧を調節できるように、前記ベッド内部の空気圧を感知し、感知結果を前記吸入ポンプの作動を制御する制御部に伝送するセンサーと；
を含み、
前記中間プレートの案内空間には上部プレートの歪みを防止し、上部プレートを支持するために隔壁が上部プレート及び下部プレートに密着して連続に繰り返して形成され、前記隔壁の間には空気が連通されるように連結口が形成されていることを特徴とする産業用インクジェットプリンタ用ベッド。
【請求項２】
前記中間プレートの案内空間は二つ以上に区画されており、前記各空気通路及び前記空気通路に設置される各接続口は前記各案内空間に対応して連結されることを特徴とする請求項１に記載の産業用インクジェットプリンタ用ベッド。
【請求項３】
前記区画された案内空間上に被印刷物がない場合に、発生される空気圧が前記センサーによって感知されると、前記制御部は前記センサーの感知結果に基づいて前記被印刷物のない案内空間に連結された吸入ポンプの作動が停止されるように制御することを特徴とする請求項２に記載の産業用インクジェットプリンタ用ベッド。
【請求項４】
前記中間プレートの外郭で支持枠が組み立てられており、前記支持枠の上側と下側にそれぞれ前記上部プレートと下部プレートが組み立てられていることを特徴とする請求項１に記載の産業用インクジェットプリンタ用ベッド。
【請求項５】
前記隔壁の案内通路はハニカム形状に形成されることを特徴とする請求項１に記載の産業用インクジェットプリンタ用ベッド。
【請求項６】
前記隔壁の案内通路は連続に繰り返される四角形を成すことを特徴とする請求項１に記載の産業用インクジェットプリンタ用ベッド。
【請求項７】
請求項１に記載のベッドを含む産業用インクジェットプリンタ。
【発明の詳細な説明】
【技術分野】
【０００１】
本発明はインクジェットプリンタに関し、さらに詳しくは、プリンタのベッド上に載せられる出力対象物の種類、重量および大きさによってベッド内部に加えられる真空吸入状態をチェックして真空吸入力を自動に制御することができるようにすることによって、ベッド表面に被印刷物を安定的に固定させた状態で、最上の状態で高品質の印刷ができるように構成されたプリンタ用ベッドおよびこれを利用したインクジェットプリンタに関する。
【背景技術】
【０００２】
一般に、インクジェットプリンタはその被印刷物が柔軟性のある一杖の紙またはフィルムや、ロ−ル状に巻かれているものを使用する。
【０００３】
したがって、インクジェットプリンタに被印刷物を挿入して、移送ローラーが被印刷物を移送する間にプリンタヘッドが出力媒体の移送方向に対して直角である横方向に水平往復運動をしながら印刷するようになっていた。
【０００４】
このようなインクジェット技術は、家庭用／事務用の小型プリンタだけでなく、産業用大型プリンタにも幅広く活用されることができ、最近には、ＵＶインクを利用した産業用インクジェットプリンタが産業全般にわたって使用されている。このような産業用インクジェットプリンタは、紙、織物のような柔軟性のある被印刷物だけでなく、木板、金属板、ガラス板などのような柔軟性がなく、大きい被印刷物に利用されることができる。
【０００５】
このような産業用インクジェットプリンタは、大韓民国特許登録第１０−０４３４８２５号「フラットベッドタイプインクジェットプリンタ」に開示されている。
【０００６】
すなわち、上記した「フラットベッドタイプインクジェットプリンタ」は、出力媒体に柔軟性がなく、重量または厚さが大きい場合にも印刷が可能なプリンタで、内部に空気通路を有し、上面には空気吸入口を有するベッドと、前記ベッドと一体に固定されてベッドを支持する固定支持台と、前記空気通路に連結されて空気を排出または吸入する空気吸入器と、前記ベッドに結合されてヘッドが横方向に水平運動するように案内するヘッドバーと、ヘッドバーが前記ベッドに縦方向に水平運動するように案内する移送手段とを含んで構成されていた。
【０００７】
したがって、一般のインクジェットプリンタは紙またはフィルム状の被印刷物が移送ローラーによって移送されながらプリンタヘッドの動作によって印刷される形態であるが、フラットベッドタイプインクジェットプリンタは、木板、金属板、ガラス板などのように重量および大きい被印刷物の表面に印刷するための構成であるので、被印刷物をベッド上に載せた状態でプリンタヘッドがベッド全体を水平移動しながら出力するように構成されたものである。
【０００８】
このために、従来のフラットベッドタイプインクジェットプリンタのベッドは被印刷物をベッド上に固定させるために真空の吸入力を利用した。
【０００９】
また、ベッド上面には空気吸入口が複数形成されていて、吸入力による被印刷物をベッドの表面に吸着固定させるように、ベッドの内部は空気が通過できる空間が形成されており、空気吸入口から吸入した空気を空気吸入器の方に円滑に排出することができるように、ベッドを支持する柱部が全くなく全体を１つの空間に形成させて構成した。
【００１０】
しかしながら、従来のインクジェットプリンタのベッドは以下のような諸問題点が内在している。
【００１１】
すなわち、従来のフラットベッドタイプインクジェットプリンタは、インク被印刷物が載せられるベッドの全面にかけて真空吸入力が作用しなければならないので、被印刷物がベッドが小さい場合、被印刷物が載せられない空気吸入口を通じて外部空気が流入されるしかない。
【００１２】
したがって、被印刷物を吸着固定させるために真空吸入力は不必要に大きくなって電力消耗が多くなり、それによって真空吸入装置に無理を与えて故障の原因となり、高出力の真空吸入作動による騷音が多く発生されるという問題が発生された。
【００１３】
また、ベッドの内部は広い面積の空間を有しているので、ベッド全体の内部空気を吸入するために柱部のない空間に構成されていた。
【００１４】
これによって、重量の重い被印刷物が載せられる場合、ベッド上面に歪みが発生したり、破損されるためベッド全体を取り替えなければならないという大きい問題も発生された。
【００１５】
このための対策として、ベッド上面の厚さを調節して歪みを防止するようにしたが、ベッドの素材は表面の平坦度のためにコストが割と高い素材を利用して製作されるので、それによる製造コストが上昇する要因となり、高価の販売値につながるため、このようなインクジェットプリンタを利用する使用者に経済的な被害を与える直接的な要因になっていた。
【００１６】
また、従来のベッドには被印刷物の重量、厚さおよび大きさを考慮して真空吸入力をチェックする感知手段や制御手段が設けられていないため、ベッド上に載せられる被印刷物の重量および大きさに関係なく同じ吸着力が加えられる。
【００１７】
したがって、比較的に厚さが薄く、かつ軽い被印刷物が載せられた場合、これをチェックすることができないため、高い真空吸入力が作用する場合、被印刷物の表面が空気吸入口に吸い込まれて痕が生じたり表面が曲げたりできないため、印刷ができず、被印刷物を毀損してしまい、これを知らないで印刷する場合、破損された表面に印刷ができず印刷完了された被印刷物の全体を使用することができなくなる大きい問題を発生させた。
【００１８】
これによって、作業者は被印刷物の厚さ、重量および材質等を考慮して、逐一手作業によってバルブを調節して真空吸入力を調節しなければならないため、インクジェットプリンタの運用上非常に非効率的でかつ非経済的な問題が発生されている状況である。
【発明の概要】
【発明が解決しようとする課題】
【００１９】
本発明は上述した従来の問題点を解決するために創案されたもので、その目的は、プリンタのベッド上に載せられる出力対象物の種類、重量および大きさによってベッド内部に加えられる真空吸入状態をチェックして、真空吸入力を自動に制御することができるようにすることによって、ベッドの表面に載せられる被印刷物の種類に関係なく常に安定的に固定させた状態で最上の状態で高品質の印刷ができるように構成されたインクジェットプリンタのベッドを提供することである。
【００２０】
本発明の他の目的は、最上の印刷のための安定的な真空吸入力を保持しながらも重量の重い出力対象物が載せられてもベッドの表面に歪みが発生されない耐久性を有するインクジェットプリンタのベッドを提供することである。
【００２１】
本発明のまた他の目的は、ベッド上に出力対象物が載せられる最小限の領域に対して真空吸入力が作用して被印刷物を固定させた状態で印刷できるようにすることによって、インクジェットプリンタを効率的でかつ経済的に運用することができるように構成されたインクジェットプリンタのベッドを提供することである。
【課題を解決するための手段】
【００２２】
このような目的を果たすために、本発明によるインクジェットプリンタのベッドは、ベッド上に載置される被印刷物を空気吸入によって固定して印刷されるように構成されたインクジェットプリンタのベッドにおいて、全面にかけて空気吸入口が複数形成されている上部プレートと；中間が上・下に開放された案内空間からなり、前記上部プレートの下側に組み立てられる中間プレートと；前記中間プレートの下側に組み立てられ、１つ以上の空気通路が形成されている下部プレートと；前記下部プレートの各空気通路に組み立てられ、吸入ポンプと連結される接続口と；吸入される空気の圧力を感知することによって吸入ポンプと連動されて吸入される空気圧を調節することができるようにするセンサーとを含むことを特徴とする。
【００２３】
これによって、プリンタのベッド上に載せられる出力対象物の種類、重量および大きさが異なってもベッドの内部空間に加えられる真空吸入状態をセンサーによってチェックして真空吸入力を自動に制御することによって、被印刷物が毀損されることなく、常に安定的に固定させた状態で、最上の状態で高品質の印刷ができる。
【００２４】
一方、本発明の他の実施形態によれば、前記中間プレートの案内空間は２つ以上に区画されており、前記各空気通路および前記空気通路に設置される各接続口は前記各案内空間に対応して連結されるように構成される。
【００２５】
このような構成によれば、ベッド上に出力対象物が載せられる最小限の案内空間に対してのみ真空吸入力が作用し、被印刷物が載せられていない他の案内空間には真空吸入力が作用されなくなることによって被印刷物を最適な状態で安定的に固定させた状態で印刷が行われる。
【００２６】
したがって、本発明のインクジェットプリンタのベッドは不必要に真空吸入装置を稼動しなくなって電力の省エネルギー化を実現し、騷音の発生を抑制することができて、効率的でかつ経済的にインクジェットプリンタを運用することができるという長所を提供する。
【００２７】
一方、本発明のまた他の実施形態によれば、本発明のインクジェットプリンタのベッドは前記中間プレートの外郭に支持枠が組み立てられており、前記支持枠の上側と下側にそれぞれ前記上部プレートと下部プレートが組み立てられて、ベッド全体の耐久性を補強するように構成されている。
【００２８】
また、本発明のまた他の実施形態によれば、前記中間プレートの案内空間には連続に繰り返して案内通路が垂直に形成されて構成される。
【００２９】
前記案内通路はハニカム（ｈｏｎｅｙｃｏｍｂ）状に形成され、他の実施形態として、前記案内通路は連続に繰り返される四角形を成すように構成される。
【００３０】
また、前記各案内通路は互いに連結される連結口が形成されて構成される。
【００３１】
このような構成によれば、ベッド内部に設けられる複数の案内通路を有する中間プレートによって最上の印刷のための安定的で、ベッド全体に均一な真空吸入力を保持しながらも重量の重い出力対象物が載せられてもベッドの表面に歪みが発生されない耐久性を提供する。
【００３２】
また、本発明のまた他の実施形態として、前記中間プレートの各案内通路の下端部は前記下部プレートの上面と間隔を隔てて構成される。
【００３３】
これによって前記間隔を通じて空気が通るようにする連結口の役割を果たすことによって、均一な真空吸入力を発揮するためのまた他の形態の連結口の機能を構成することができる。
【発明の効果】
【００３４】
以上で説明したように、本発明によるインクジェットプリンタのベッドは、プリンタのベッド上に載せられる出力対象物の種類、重量および大きさによってベッド内部に加えられる真空吸入状態をチェックして真空吸入力を自動に制御することができる。
【００３５】
これによって、ベッド表面に載せられる被印刷物の種類に関係なく常に安定的に固定させた状態で最上の状態で高品質の印刷ができる効果を発揮する。
【００３６】
また、中間プレートの複数の案内通路によって、最上の印刷のための安定的でかつ均一な真空吸入力を保持しながらも重量の大きい出力対象物が載せられても案内通路の間に形成される隔壁によって確実にベッドの底面の全体が安定的に支持されることによって、ベッドの表面に歪みが発生されない耐久性を提供する効果を奏する。
【００３７】
一方、本発明はベッド上に出力対象物が載せられる最小限の領域に対して真空吸入力が作用されるようにして被印刷物を固定させた状態で印刷が行われるようにすることによって、インクジェットプリンタを利用した印刷作業などを効率的でかつ経済的に運用することができるなどの効果を発揮する。
【図面の簡単な説明】
【００３８】
【図１】本発明によるベッドが適用されたインクジェットプリンタの正面図である。
【図２】本発明によるベッドが適用されたインクジェットプリンタを示す図１の平面図である。
【図３】本発明の一実施形態によるインクジェットプリンドのベッドの内部構成を示す分解斜視図である。
【図４】本発明の一実施形態による中間プレートのハニカム案内通路の構成を詳しく示す図３の斜視図と主要部拡大図である。
【図５】本発明の他の実施形態によるインクジェットプリンドのベッドの内部構成を示す分解斜視図である。
【図６】本発明の他の実施形態による中間プレートの四角形案内通路の構成を詳しく示す図３の斜視図と主要部拡大図である。
【図７】本発明によるベッドの構成を示す平面図である。
【図８】本発明によるベッドの構成を示す正断面図である。
【図９】本発明によるインクジェットプリンタのベッドの真空吸着構成を説明するための主要部拡大断面図である。
【図１０】本発明によるインクジェットプリンタのベッドの真空吸着構成の他の実施形態を示す主要部拡大断面図である。
【発明を実施するための形態】
【００３９】
以下、添付された図面を参照して本発明による好ましい実施形態を詳しく説明する。
【００４０】
図１は本発明によるベッドが適用されたインクジェットプリンタの正面図であり、図２は本発明によるベッドが適用されたインクジェットプリンタを示す図１の平面図であり、図３は本発明の一実施形態によるインクジェットプリンドのベッドの内部構成を示す分解斜視図であり、図４は本発明一実施形態による中間プレートの案内通路構成を詳しく説明するための図３の斜視図と主要部拡大図である。
【００４１】
これを参照して説明すれば、本発明のインクジェットプリンタ１００のベッド１０はその上に載置される被印刷物Ｐを空気吸入によって密着固定して印刷するように構成される。
【００４２】
本発明で用いられる被印刷物は紙、織物などのような柔軟性のある素材だけでなく、木板、金属板、ガラス板などのような柔軟性のない素材であってもよく、印刷回路基板（ＰＣＢ）のような電子材料など印刷されることができる全ての素材を含む。
【００４３】
このための基本構成として、上部プレート２０と、中間プレート３０および下部プレート４０で構成される。
【００４４】
まず、前記上部プレート２０は所定の厚さを有し、強度の高い合成樹脂または金属材質からなり、矩形に構成される。
【００４５】
また、前記上部プレート２０の上面には全面にかけて複数の空気吸入口２１が形成されており、前記空気吸入口２１はベッド１０の内部の空間面積に対応して微細な直径からなり、その間隔はベッド１０の印刷面積に対応して適切な間隔を保持して正方形に連続に配列されて形成される。
【００４６】
前記上部プレート２０の４つの辺縁には前記中間プレート３０と組み立てられることができるように複数の締結孔２２が適切な間隔で形成される。
【００４７】
また、前記中間プレート３０は中間が上・下に開放された案内空間３１で形成され、真空吸入空間を確保するために所定の高さを有するように構成される。
【００４８】
このための構成として、本発明のまた他の実施形態によれば、図３に示すように、前記中間プレート３０の外郭に支持枠３２が組み立てられており、前記支持枠３２の上側と下側にそれぞれ前記上部プレート２０と下部プレート４０が組み立てられて、ベッド１０の全体に加えられる被印刷物Ｐの荷重に対してよく耐えることができる耐久性を確保するように構成される。
【００４９】
前記支持枠３２はプロファイル状に形成され、上部プレート２０の横長に対応される横支持台３３と前記上部プレート２０の縦長に対応される縦支持台３４とで構成される。
【００５０】
したがって、前記横支持台３３と縦支持台３４が互いに矩形に組み立てられて、前記支持枠３２を形成し、前記支持枠３２は再び上部プレート２０の底面辺縁にねじで組み立てられて、上部プレート２０の外郭を仕上げることによって支持枠３２の内側に案内空間３１が確保されるように構成される。
【００５１】
一方、前記下部プレート４０は前記中間プレート３０の下側に組み立てられるもので、前記上部プレート２０と同じ大きさに形成され、一側に複数の空気通路４１が形成されている。
【００５２】
前記空気通路４１は円形に形成されてもよく、図３に示すように、四角形状に形成されてもよく、各空気通路４１の外郭に複数の締結孔４２が形成されている。
【００５３】
また、前記下部プレート４０の空気通路４１には前記案内空間３１の内部空気を吸入して真空状態にするためにインクジェットプリンタ１００の下部に備えられる吸入ポンプ５０と連結するための接続口６０が設けられて前記締結孔４２にねじで組み立てられる。
【００５４】
前記接続口６０は前記空気通路４１の形状に対応して四角形に形成され、中央に吸入ポンプ５０と連結されるフレキシブル連結ホース５１と接続するための接続ボス６１が突出して形成されていて、この接続ボス６１に連結ホース５１を挿入した後、締め付け処理して空気が流出されないように密閉させて組み立てられる。
【００５５】
また、前記接続口６０の内側一端には空気通路４１の空気圧を感知するセンサー７０が備えられる。前記センサー７０によって感知された信号は制御部（図示省略）に伝達され、前記制御部は空気圧信号を分析してベッド内部の空気圧が一定に保持されたり、必要によって調節されるように前記吸入ポンプ５０の出力を制御する。前記吸入ポンプ５０の出力の制御は吸入ポンプ５０に印加される電圧の周波数（Ｈｚ）を変化させることが好ましい。
【００５６】
このような基本構成によれば、インクジェットプリンタ１００のベッド１０の上に載せられる被印刷物Ｐの種類、重量および大きさが異なっても前記ベッド１０の内部空間に加えられる真空吸入状態、すなわち、空気の圧力をセンサー７０によって感知して吸入ポンプ５０の出力を自動に制御することができる。
【００５７】
このような長所は、従来のように所定の圧力で加えられる真空吸入力によって被印刷物の毀損されることを防止することができ、被印刷物Ｐの重量と大きさに適合するように常に安定的な真空吸入力で、ベッド１０の上に密着固定させることができるので、最上の状態で高品質の印刷を持続的にするこができる。
【００５８】
また、本発明によるインクジェットプリンタ１００のベッド１０は、従来のように、ベッド上に載せられる被印刷物が状態によって真空吸入力を手動でバルブ開閉操作によって調節したのに比べて適切な真空吸入力を自動に制御することができて、加工物の種類によってプログラム化させて真空吸入力を自動に調節できるようにシステムを具現することができる。
【００５９】
また、前記接続口６０の内部に設けられるセンサー７０は予め設定されていない突発状況、例えば、前記ベッド１０の空気吸入口２１に被印刷物Ｐまたはその他の物によって空気吸入口２１が遮られて案内空間３１の内部の真空吸入力が上昇されてもセンサー７０がこれを感知して適正水準の真空吸入力を保持するように吸入ポンプ５０の出力を調節することができて、装置の破損を防止することができ、効率的でかつ経済的にインクジェットプリンタの印刷作業を運用することができるという長所を発揮する。
【００６０】
一方、本発明の他の実施形態によれば、図１〜図３に示すように、前記中間プレート３０の案内空間３１は２つ以上に区画されて構成され、図８に示すように、ベッド１０の全体面積を三等分して第１案内空間Ｖ１、第２案内空間Ｖ２および第３案内空間Ｖ３を確保するように構成し、前記センサー７０は第１センサーＳ１、第３センサーＳ２および第３センサーＳ３で構成される。
【００６１】
これによって、前記各空気通路４１および前記空気通路４１に設置される各接続口６０は前記各第１案内空間Ｖ１、第２案内空間Ｖ２および第３案内空間Ｖ３にそれぞれ連結されるように構成され、前記各接続口６０の接続ボス６１にもそれぞれの吸入ポンプ５０が連結ホース５１によって連結されている。
【００６２】
ここで、前記吸入ポンプ５０はそれぞれの接続口６０と連結できるようにそれぞれ備えられたことを説明したが、必要によって、中、小型のインクジェットプリンタの場合には、１つの吸入ポンプを利用してバルブの開閉制御によって複数の案内空間に加えられる真空吸入力を調節することができるように構成することもできる。
【００６３】
このような構成によれば、図７および図８に示すように、ベッド１０の上に被印刷物Ｐが載せられる最小限の案内空間３１に対してのみ真空吸入力が作用し、被印刷物Ｐが載せられていない他の案内空間３１には真空吸入力が作用しなくなるので、被印刷物を最小限の真空吸入力でベッド１０の上に安定的に固定させた状態で印刷が行われる。
【００６４】
例えば、第１案内空間Ｖ１のみに小型の被印刷物Ｐ１が載せられる場合、第１センサーは真空吸入力を感知して吸入ポンプを適切な圧力で稼動させる。
【００６５】
しかし、第２案内空間Ｖ２および第３案内空間Ｖ３には真空吸入力が作動する必要がないため、これを第２センサーＳ１および第３センサーＳ３が感知して吸入ポンプの稼動を待機状態に保持し、所定時間が経過すると稼動を中断させることができるようにプログラム化させることができる。
【００６６】
また、中型被印刷物Ｐ２がベッド上に載せられる場合には、第１案内空間Ｖ１および第２案内空間Ｖ２に真空吸入力がともに作用し、大型の被印刷物Ｐ３がベッド上に載せられる場合には、第１案内空間Ｖ１、第２案内空間Ｖ２および第３案内空間Ｖ３に真空吸入力がともに作用することによって、これを第１センサーＳ１、第３センサーＳ２および第３センサーＳ３が感知してそれぞれの案内空間Ｖ１、Ｖ２、Ｖ３にかかる真空吸入力を互いに比較して被印刷物に重量および大きさによって均一でかつ安定的に吸着固定されることができるように、それぞれの吸入ポンプ５０の出力の程度を選択して制御できるように構成される。
【００６７】
このような構成によれば、不必要に真空吸入装置などを稼動させなくなって省電力を実現し、騷音の発生を抑制することができるなど本発明のインクジェットプリンタのベッドは効率的でかつ経済的にインクジェットプリンタを運用することができるという大きい長所を発揮する。
【００６８】
また、本発明のまた他の実施形態によれば、前記中間プレート３０の案内空間３１には連続に繰り返して案内通路８０が垂直に形成されて構成される。
【００６９】
前記案内通路８０は多様な形状に形成されることができるが、製作の効率性を考慮した構成として、図３および図４に示すように、ハニカム形状に形成される。
【００７０】
また、前記各案内通路８０には互いに連結される連結口８１が形成されて構成される。
【００７１】
すなわち、図９に示すように、前記連結口８１はハニカム案内通路８０を構成する隔壁８２に全部形成されて案内通路８０の間に空気が互いに通過するようにすることによって、真空吸入力がそれぞれの案内通路８０に均一に配分されて作用することができるように構成される。
【００７２】
このような案内通路８０の構成によれば、前記空気吸入口２１がそれぞれのハニカム案内通路８０に適切な数で配置されて位置する。
【００７３】
したがって、ベッド１０の内部の案内空間３１に真空吸入力が作用すると、ハニカム案内通路８０に面積に対応して同じ空気圧が作用し、それぞれの案内通路８０は連結口８１を通じて空気が通るようにすることによって、空気吸入口２１の吸入力も均一に作用されることができて、上部プレート２０に載せられる被印刷物Ｐが毀損されないで安定的に吸着固定されることができる。
【００７４】
ここで、参考に、前記ハニカム案内通路８０を製作する方法を簡単に説明すると、図面には図示しないが、所定の厚さと幅を有する紙または合成樹脂板を長手方向に切断した後垂直に立てて重なるように連続的に配置する。
【００７５】
次に、六角形の対向する接着面８３を互いに交差して接合し、その中間は折り畳まれることができるように折り目８４を形成した後、連結口８１を形成するために、重ねた状態で接着面８３とその両側の面に孔を打孔して連結口を形成する。
【００７６】
このような状態で両側を引っ張ると接着面８３を中心に両側の折り目８４が内外側に折曲されながら六角形のハニカム形状の案内通路８０が形成され、ハニカム案内通路８０の側壁には連結口８１が形成される。
【００７７】
また、このような案内通路９０の他の実施形態として、図５および図６に示すように、連続に繰り返される四角形を成すように構成される。
【００７８】
また、前記各案内通路９０には互いに連結される前記連結口９１が形成されて構成される。
【００７９】
すなわち、図９に示すように、四角形案内通路９０と前記連結口９１は、前記したハニカム案内通路８０とともに案内通路９０を構成する隔壁９２に全部形成されて、案内通路９０の間に空気が互いに通って真空吸入力が均一に作用することができるように構成される。
【００８０】
このような四角形案内通路９０の構成によれば、前記空気吸入口２１がそれぞれの四角形案内通路９０に適切に配置されて位置する。
【００８１】
したがって、ベッド１０の内部の案内空間３１に真空吸入力が作用すると、四角形案内通路９０にもそれぞれの面積に対応される均一な空気圧が作用し、それぞれの案内通路９０は連結口９１を通じて空気が互いに通ることによって、結局、それぞれの空気吸入口の吸入力も均一に作用されることができて、ベッド１０上に載せられる被印刷物Ｐが毀損されないで安定的に吸着されて固定されることができる。
【００８２】
参考に、前記四角形案内通路９０を構成する方法を説明すれば、図面には図示しないが、所定の厚さと幅を有する紙または合成樹脂板を長手方向に切断した後、垂直に立てて格子状に互いに連結して連続に配列して構成することができる。
【００８３】
このような構成によれば、ベッド上部プレート２０および下部プレート４０の間に備えられる複数のハニカム案内通路８０または四角形案内通路９０の構成による案内空間３１を有する中間プレート３０がさらに設けられることによって、最上の品質で印刷ができるように、ベッド１０全体に均一な真空吸入力を保持しながらも重量の重い被印刷物Ｐが載せられてもハニカム案内通路８０および四角形案内通路９０によって支持され、その外郭に支持枠３２が支持することによってベッド１０の表面に歪みが発生されない耐久性を提供することができる。
【００８４】
また、本発明のまた他の実施形態として、図１０に示すように、前記ハニカム案内通路８０または四角形案内通路９０を有する中間プレート３０の各案内通路の下端部は前記下部プレート４０の上面と間隔Ｄを有して構成される。
【００８５】
これによって、前記間隔Ｄを通じて空気が通るようにする前記連結口８１、９１の役割を代替することによって上述したように、ベッド１０の内部の案内空間３１に真空吸入力が作用すると、それぞれの案内通路８０、９０に面積に対応して均一な空気圧が作用し、それぞれの案内通路８０、９０には間隔Ｄを通じて空気が互いに通るようにすることによって、それぞれの空気吸入口２１の吸入力も均一に作用されることができて、ベッド１０上に載せられる被印刷物Ｐが毀損されないで、安定的に吸着されて固定されることができる。
【００８６】
このような間隔を有する中間プレート３０はそれぞれの案内通路８０、９０の内部に均一な真空吸入力を発揮するためのまた他の形態の連結口の機能を構成することができる。
【００８７】
以上の説明で、本発明のインクジェットプリンタのベッドは、被印刷物が重量および大きさに対して真空吸入力が接続口に設けられたセンサーによって真空吸入力が比較されて分割区画されたそれぞれの案内空間に真空吸入力を自動に調節することができる構成で、前記案内空間は３つ以上に区画されて構成されてもよく、前記センサーの感知位置も接続口側に設置されたことに制限されないで、ベッドの構成に対応して位置が変更されることができることは当然である。
【００８８】
また、前記案内通路および連結口はハニカムまたは四角形の以外にも円形または多角形など多様な構成に変形して実施されることができる。
【産業上利用可能性】
【００８９】
本発明はプリンタのベッド上に載せられる出力対象物の種類、重量および大きさによってベッドの内部に加えられる真空吸入状態をチェックして真空吸入力を自動に制御できるようにすることによって、ベッドの表面に被印刷物を安定的に固定させた状態で、最上の状態で高品質の印刷ができるように構成されたプリンタ用ベッドおよびこれを利用したインクジェットプリンタに関する。
【符号の説明】
【００９０】
１０：ベッド                ２０：上部プレート
２１：空気吸入口            ２２、４２：締結孔
３０：中間プレート          ３１：案内空間
３２：支持枠                ４０：下部プレート
４１：空気通路              ５０：吸入ポンプ
５１：連結ホース            ６０：接続口
７０：センサー              ８０、９０：案内通路
８１、９１：連結口          Ｄ：間隔
Ｐ：被印刷物                １００：インクジェットプリンタ
【図１】
0005344265.tif 000002
【図２】
0005344265.tif 000003
【図３】
0005344265.tif 000004
【図４】
0005344265.tif 000005
【図５】
0005344265.tif 000006
【図６】
0005344265.tif 000007
【図７】
0005344265.tif 000008
【図８】
0005344265.tif 000009
【図９】
0005344265.tif 000010
【図１０】
0005344265.tif 000011